(57)【要約】【課題】  コネクタを大型化することなく、コネクタの接点に異物が付着するのを確実に防止する蓋体を備えることである。【解決手段】  本発明のコネクタは、一体にスライド結合される第１の接続部材２と第２の接続部材３とを備え、これら各接続部材２，３は、接点６，１７を有する本体４，１４と、本体４，１４にスライド可能に設けられ常時は前記本体４，１４の接点６，１７を被覆する蓋体５，１５とで構成され、前記第１の接続部材２と第２の接続部材３とをスライド結合する際に蓋体５，１５が本体４，１４をスライドして接点６，１７が露出し、前記第１の接続部材２と第２の接続部材３の接点６，１７が接触して電気的に接続される。【選択図】  図１
2016040761.tif 000002
【特許請求の範囲】
【請求項１】
一体にスライド結合される第１の接続部材と第２の接続部材とを備え、これら各接続部材は、接点を有する本体と、本体にスライド可能に設けられ常時は前記本体の接点を被覆する蓋体とで構成され、
前記第１の接続部材と第２の接続部材とをスライド結合する際に蓋体が本体をスライドして接点が露出し、前記第１の接続部材と第２の接続部材の接点が接触して電気的に接続されることを特徴とするコネクタ。
【請求項２】
前記第１の接続部材及び第２の接続部材の各本体には、いずれか一方にガイド溝が、他方に前記ガイド溝にスライド可能に嵌合されるガイド突起がそれぞれ設けられ、第１の接続部材と第２の接続部材とは本体同士がスライド結合される請求項１に記載のコネクタ。
【請求項３】
前記第１の接続部材及び第２の接続部材の各蓋体は、前記第１の接続部材と第２の接続部材とを一体にスライド結合する際、一方の接続部材の蓋体が他方の接続部材の本体に押されてスライド移動する請求項１又は２に記載のコネクタ。
【請求項４】
前記第１の接続部材及び第２の接続部材の各本体には、蓋体で被覆された一面の一部に傾斜面が形成され、前記第１の接続部材及び第２の接続部材が一体にスライド結合される際には、前記蓋体が本体の前記一面から傾斜面を介して本体の側面側に回り込んで収容される請求項１又は２に記載のコネクタ。
【請求項５】
前記各蓋体は、各本体との間に掛け渡されたバネ部材によって連結され、常時は前記バネ部材の張力によって前記本体の接点を被覆する一方、前記第１の接続部材と第２の接続部材との結合時には各蓋体がバネ部材の張力に抗して本体をスライドする請求項１乃至４のいずれかに記載のコネクタ。
【請求項６】
前記本体と蓋体との間に掛け渡されたバネ部材は、一端が本体に取付けられると共に他端が蓋体に取付けられ、この蓋体の取付位置が本体の側面側に蓋体が収容された状態において、結合した本体同士のスライド面を跨いだ位置にある請求項５に記載のコネクタ。
【請求項７】
前記第１の接続部材の本体に設けられる平面状接点と、前記第２の接続部材の本体に設けられたバネ性を有する凸状接点とを備え、前記第１の接続部材と第２の接続部材とが一体にスライド結合される際には、前記平面状接点に凸状接点が弾性的に押圧して、両者が電気的に接続される請求項１に記載のコネクタ。
【発明の詳細な説明】
【技術分野】
【０００１】
本発明は、一体に結合される第１の接続部材と第２の接続部材とからなり、これら各接続部材の接点に異物が付着するのを防ぐための蓋体を備えてなるコネクタに関する。
【背景技術】
【０００２】
従来から、この種の蓋体を備えたコネクタが知られている（特許文献１参照）。このコネクタは、相互に嵌合可能なコネクタを備え、一方のコネクタには他方のコネクタを収容するためのフード部が設けられ、このフード部のコネクタ収容口には、その収容口を塞ぐ扉が開閉可能に設けられると共に、他方のコネクタの嵌め込み動作に伴って、収容口の扉を開放位置へ変位させる扉開放機構が設けられている。
【０００３】
このような従来のコネクタにあっては、一方のコネクタには他方のコネクタを収容するためのフード部が設けられ、フード部の収容口は他方のコネクタを嵌め込む前の状態では扉によって塞がれているため、フード部内への塵や異物等の侵入を防止することができ、しかも扉は他方のコネクタの嵌め込み動作に伴って開かれるから、扉に対する開き操作を行なう必要がない。
【先行技術文献】
【特許文献】
【０００４】
【特許文献１】特開平１０−３３４９８０号公報
【発明の概要】
【発明が解決しようとする課題】
【０００５】
しかしながら、上記従来のコネクタにあっては、一方のコネクタに他方のコネクタを収容するためのフード部や、フード部の収容口には扉を設けてあるために、コネクタの全体形状が大型化するという問題があった他、フード部が一方のコネクタのみに設けられ、他方のコネクタには設けられていないため、異物の侵入を十分には防ぐことができなかった。
【０００６】
そこで、本発明が解決しようとする課題は、コネクタを大型化することなく、コネクタの接点に異物が付着するのを確実に防止する蓋体を備えることである。
【課題を解決するための手段】
【０００７】
本発明に係るコネクタは、一体にスライド結合される第１の接続部材と第２の接続部材とを備え、これら各接続部材は、接点を有する本体と、本体にスライド可能に設けられ常時は前記本体の接点を被覆する蓋体とで構成され、前記第１の接続部材と第２の接続部材とをスライド結合する際に蓋体が本体をスライドして接点が露出し、前記第１の接続部材と第２の接続部材の接点が接触して電気的に接続される。
【０００８】
また、本発明に係るコネクタの一実施例では、前記本体と蓋体との間にバネ部材が掛け渡され、このバネ部材は一端が本体に取付けられると共に他端が蓋体に取付けられ、この蓋体の取付位置が本体の側面側に蓋体が収容された状態において、結合した本体同士のスライド面を跨いだ位置にある。
【発明の効果】
【０００９】
本発明のコネクタは、第１の接続部材及び第２の接続部材の各接点が蓋体によって被覆されているので、これらの接点に異物が付着するのを確実に防止することができる。また、蓋体は各接続部材の接点が設けられる一面を被覆する程度の大きさであり、各接続部材を一体にスライド結合した際には隣接した位置に収容されるので、蓋体によってコネクタが大型化するといったことはない。さらに、第１の接続部材及び第２の接続部材を一体に結合するのに伴って各蓋体がスライドして接点を露出させることができる。
【００１０】
また、本発明のコネクタにあっては、前記本体と蓋体との間に掛け渡されたバネ部材の一端が蓋体の所定の位置に取付けられているので、一体にスライド結合された第１の接続部材と第２の接続部材を解除する際には、蓋体をスムーズに元の位置に戻すことができる。
【図面の簡単な説明】
【００１１】
【図１】本発明のコネクタを構成する第１の接続部材及び第２の接続部材を示す斜視図である。
【図２】第１の接続部材を示す平面図、正面図、底面図及び左側面図である。
【図３】第２の接続部材を示す平面図、正面図、底面図及び右側面図である。
【図４】第１の接続部材及び第２の接続部材を示す側面図である。
【図５】第１の接続部材及び第２の接続部材の結合途中の側面図である。
【図６】第１の接続部材及び第２の接続部材を一体にスライド結合させたコネクタの側面図である。
【図７】前記図６の断面図である。
【図８】第１の接続部材及び第２の接続部材を一体にスライド結合させたコネクタの斜視図である。
【発明を実施するための形態】
【００１２】
以下、本発明に係るコネクタの第１実施形態を、図１乃至図８に基づいて詳細に説明する。この実施形態に係るコネクタ１は、一体にスライド結合される第１の接続部材２と第２の接続部材３とで構成されている。第１の接続部材２は、図１及び図２に示されるように、直方体形状の上側本体４と、この上側本体４の下面側を被覆する下部蓋体５とを備える。上側本体４の下面４ｂには短冊状の平面状接点６が上側本体４の長手方向に沿って複数個（この実施形態では１０個）平行に並んで配列され、各平面状接点６の一端部にはスルーホール７が設けられている。上側本体４の上面４ａには前記スルーホール７を通じて前記平面状接点６と電気的に接続される接続端子８が設けられ、この接続端子８は上側本体４の長手方向に沿って、互い違いに左右に５個ずつ分かれて配置されている。また、上側本体４の長手方向の両側には、前記第２の接続部材３と一体にスライド結合する際のガイドとなる嵌合部９が設けられ、さらに上側本体４の下面４ｂと後面４ｄとの角部には傾斜面１０が形成されている。なお、前記嵌合部９はガイド溝９ａとガイド突起９ｂとからなる。
【００１３】
一方、上側本体４の下面側を被覆する下部蓋体５は、上側本体４の下面４ｂに設けられた平面状接点６を被覆する矩形状の平板からなり、上側本体４の下面４ｂの形状より僅かに幅狭に形成されている。さらに具体的には図６及び図７に示されるように、第１の接続部材２と第２の接続部材３とを一体に都合した時のコネクタ１の高さと略同一であることが望ましい。コネクタ１全体としてまとまりがよくコンパクトになるからである。
【００１４】
また、上側本体４の長手方向の両側面と下部蓋体５の両側面との間には引張りコイルバネ１１が掛け渡されており、常時は引張りコイルバネ１１が縮小することで上側本体４の下面４ｂを下部蓋体５が被覆する一方、下部蓋体５が上側本体４の下面４ｂをスライドして平面状接点６が露出する際には、図５及び図６に示したように、引張りコイルバネ１１が伸長することで、下部蓋体５が上側本体４の後面側に回り込んで収容される。引張りコイルバネ１１の取付位置は、図２に示されるように、下部蓋体５の側面の中央より少し前側が望ましい。これにより、図６に示したように、下部蓋体５を上側本体４の後面側に収容した際には、引張りコイルバネ１１の下部蓋体５側の取付位置１１ａが第１の接続部材２と第２の接続部材３とのスライド面１２を跨いで、スライド面１２より下方に位置する。その結果、第１の接続部材２と第２の接続部材３との結合を解除する際には、引張りコイルバネ１１の張力により下部蓋体５が上側本体４の傾斜面１０に倒れ易くなり、さらにそのまま引っ張られて上側本体４の下面４ｂをスライドする。
【００１５】
一方、前記第１の接続部材２と対をなす第２の接続部材３は、図1及び図３に示されるように、直方体形状の下側本体１４と、この下側本体１４の上面１４ａを被覆する上部蓋体１５とを備えている。下側本体１４には上面１４ａから下面１４ｂまでを貫通する薄幅の貫通孔１６が長手方向に沿って等間隔に１０個設けられ、隣接する貫通孔１６との間隔が前記上側本体４の下面４ｂに設けられた各平面状接点６の間隔と略同じである。各貫通孔１６内には図３（ｄ）に示されるように、略Ω（オメガ）形状の凸状接点１７が収容されている。この凸状接点１７は、バネ性のある薄い平板からなるもので、両側部１７ａを貫通孔１６の内面で拘束すると共に、両端部１７ｂを貫通孔１６の下端角部に係止させることで貫通孔１６内に所定の形状で保持される。なお、この状態で凸状接点１７の頂部１７ｃは下側本体１４の上面１４ａから少し突出しており、且つ弾性的に下方へ押圧される。また、下側本体１４の長手方向の両側には、前記第１の接続部材２と第２の接続部材３とを一体にスライド結合する際、前記第１の接続部材２の上側本体４の嵌合部９にスライド可能に嵌り合う被嵌合部１９が設けられ、さらに下側本体１４の上面１４ａと後面１４ｄとの角部には傾斜面２０が形成されている。なお、前記被嵌合部１９は、前記嵌合部９のガイド溝９ａにスライド可能に嵌り合うガイド突起１９ｂと、嵌合部９のガイド突起９ｂがスライド可能に嵌り合うガイド溝１９ａとからなる。
【００１６】
一方、前記下側本体１４の上面側を被覆する上部蓋体１５は、下側本体１４の上面１４ａに設けられた凸状接点１７を被覆する矩形状の平板からなり、上記下部蓋体５と同様、下側本体１４の上面１４ａの形状より僅かに幅狭に形成され、さらに具体的には図６及び図７に示されるように、第１の接続部材２と第２の接続部材３とを一体に都合した時のコネクタ１の高さと略同一であることが望ましい。また、この上部蓋体１５は、前記下部蓋体５とは異なって、下側本体１４の上面１４ａと接する側に凹部１８が形成されており、下側本体１４の上面１４ａを被覆した時には凸状接点１７の頂部１７ｃが凹部１８内に収容される。
【００１７】
また、前記下部蓋体５と同様、下側本体１４の長手方向の両側面と上部蓋体１５の両側面との間には引張りコイルバネ２１が掛け渡されており、常時は引張りコイルバネ２１が縮小することで、上部蓋体１５の一面が下側本体１４の上面１４ａを被覆する一方、上部蓋体１５が下側本体１４の上面１４ａをスライドして凸状接点１７が露出する際には、図５及び図６に示したように、引張りコイルバネ２１が伸長することで、上部蓋体１５が下側本体１４の後面１４ｄ側に回り込んで収容される。前記引張りコイルバネ１１と同様、引張りコイルバネ２１の取付位置は、図３に示されるように、上部蓋体１５の側面の中央より少し前側が望ましい。これにより、図６に示したように、上部蓋体１５を下側本体１４の後面１４ｄ側に収容した際には、引張りコイルバネ２１の上部蓋体１５側の取付位置２１ａが第１の接続部材２と第２の接続部材３とのスライド面１２を跨いで、スライド面１２より上方に位置する。その結果、第１の接続部材２と第２の接続部材３との結合を解除する際には、引張りコイルバネ２１の張力により上部蓋体１５が下側本体１４の傾斜面２０に倒れ易くなり、さらにそのまま引っ張られて下側本体１４の上面１４ａをスライドする。なお、上記スライド面１２とは、第１の接続部材２と第２の接続部材３とを一体にスライド結合する際、上側本体４の下面４ｂと下側本体１４の上面１４ａとが面接触する面である。
【００１８】
次に、上記構成からなる第１の接続部材２及び第２の接続部材３を一体にスライド結合させてコネクタ１として使用する場合について説明する。図１及び図４に示されるように、第１の接続部材２及び第２の接続部材３は左右に分離した状態にあり、その状態では上側本体４の下面４ｂ及び下側本体１４の上面１４ａが、それぞれの蓋体５，１５によって被覆されている。上側本体４の下面４ｂ及び下側本体１４の上面１４ａは、それぞれが電気的な接続面を構成しているので、上記蓋体５，１５によってこれらの接続面に埃や塵、フラックスなどが付着するのを確実に防ぐことができる。
【００１９】
次に、第１の接続部材２と第２の接続部材３を左右に配置し、上側本体４の嵌合部９と下側本体１４の被嵌合部１９とを位置合せしたのち、互いに嵌め合い方向にスライドさせる。その際、上側本体４の前面４ｃが下側本体１４の上面１４ａを被覆している上部蓋体１５の後面を押し、下側本体１４の前面１４ｃが上側本体４の下面４ｂを被覆している下部蓋体５の後面を押す。押された上部蓋体１５及び下部蓋体５は、下側本体１４の上面１４及び上側本体４の下面４ｂをそれぞれ逆方向にスライドし、図５に示したように、下側本体１４の傾斜面２０及び上側本体４の傾斜面１０にそれぞれガイドされたのち、図６に示したように、上側本体４と下側本体１４とが重なって一体に結合した時点で、各本体の後面４ｄ，１４ｄ側に回り込んで収容される。前述したように、収容された下部蓋体５及び上部蓋体１５は、結合した上側本体４と下側本体１４を合わせた高さと略同一であり、各本体の後面に密着するようにして立っている。
【００２０】
このように、上側本体４の下面４ｂ及び下側本体１４の上面１４ａをそれぞれ被覆する各蓋体５，１５は、第１の接続部材２と第２の接続部材３とを一体にスライド結合させる際に、スライドする上側本体４と下側本体１４に押されることで所定位置までスライド移動するので、別途蓋体を開閉動作させる必要がない。
【００２１】
図７及び図８には第１の接続部材２と第２の接続部材３とを一体にスライド結合させてコネクタ１として構成したときの内部構造と外観が示されている。両者を一体のスライド結合することで、上側本体４の下面４ｂと下側本体１４の上面１４ａとが合わさって接触し、上側本体４の平面状接点６と下側本体１４の凸状接点１７とが接触する。その際、凸状接点１７の頂部１７ｃが弾性的に押圧された状態で平面状接点６と接触して、両者の電気的な接続が図られる。
【００２２】
次に、上記のようにして一体に結合されたコネクタ１を第１の接続部材２と第２の接続部材３とに再び分離する場合について説明する。図６に示されるように、第１の接続部材２と第２の接続部材３とが一体に結合された状態では、引張りコイルバネ１１，２１の各蓋体５，１５での取付位置が、上側本体４と下側本体１４のスライド面１２を跨いでいる。すなわち、上側本体４と下部蓋体５とを連結する引張りコイルバネ１１の下部蓋体５側の取付位置１１ａは、前記スライド面１２より下方に位置し、下側本体１４と上部蓋体１５とを連結する引張りコイルバネ２１の上部蓋体１５側の取付位置２１ａは、前記スライド面１２より上方に位置している。そのため、第１の接続部材２の上側本体４と第２の接続部材３の下側本体１４を互いに反対方向に引っ張ると、上側本体４と下側本体１４が嵌合部９，被嵌合部１９にガイドされて互いにスライドすると同時に、各蓋体５，１５が引張りコイルバネ１１，２１に引っ張られて各傾斜面１０，２０の上に倒れ込む。そして、さらに各本体４，１４を反対方向にスライドさせることで、各蓋体５，１５は引張りコイルバネ１１，２１に引っ張られて各本体４，１４の下面４ｂ又は上面１４ａをスライドし、所定位置で平面状接点６及び凸状接点１７をそれぞれ被覆する。
【００２３】
このように、各引張りコイルバネ１１，２１の蓋体側での取付位置１１ａ，２１ａを第１の接続部材２と第２の接続部材３とのスライド面１２を跨いだ位置に設定したことで、コネクタ１を第１の接続部材２と第２の接続部材３に分離する際には、上側本体４と下側本体１４のスライド移動に伴って蓋体が元の被覆位置まで容易に戻るために、別途蓋体を開閉動作させる必要がない。
【符号の説明】
【００２４】
１  コネクタ
２  第１の接続部材
３  第２の接続部材
４  上側本体
４ａ  上面
４ｂ  下面
４ｃ  前面
４ｄ  後面
５  下部蓋体
６  平面状接点
７  スルーホール
８  接続端子
９  嵌合部
９ａ，１９ａ  ガイド溝
９ｂ，１９ｂ  ガイド突起
１０，２０  傾斜面
１１，２１  引張りコイルバネ
１１ａ，２１ａ  引張りコイルバネの蓋体側の取付位置
１２  スライド面
１４  下側本体
１４ａ  上面
１４ｂ  下面
１４ｃ  前面
１４ｄ  後面
１５  上部蓋体
１６  貫通孔
１７  凸状接点
１７ａ  両側部
１７ｂ  両端部
１７ｃ  頂部
１８  凹部
１９  被嵌合部
【図１】
2016040761.tif 000003
【図２】
2016040761.tif 000004
【図３】
2016040761.tif 000005
【図４】
2016040761.tif 000006
【図５】
2016040761.tif 000007
【図６】
2016040761.tif 000008
【図７】
2016040761.tif 000009
【図８】
2016040761.tif 000010